(57)【要約】【課題】必要なときにのみＩＤカードに画像等の情報を表示できるようにする。【解決手段】カード本体２と、本体２に内蔵され、ＩＤ認証情報を含む各種情報を記憶するメモリ６と、本体２に設けられ、メモリ６に記憶された情報を表示する表示手段３と、本体２のカードホルダへの装着時に表示手段３への表示をオンとし、非装着時に表示手段３への表示をオフとするスイッチ手段１１からＩＤカード１を構成する。【選択図】図２
2008217287.tif 000002
【特許請求の範囲】
【請求項１】
カード本体と、
該本体に内蔵され、ＩＤ認証情報を含む各種情報を記憶するメモリと、
前記本体に設けられ、前記メモリに記憶された情報を表示する表示手段と、
前記本体のカードホルダへの装着時に前記表示手段への表示をオンとし、非装着時に該表示手段への表示をオフとするスイッチ手段とを備えたことを特徴とするＩＤカード。
【請求項２】
前記スイッチ手段は、前記表示手段の表示機能をオン・オフする手段であることを特徴とする請求項１記載のＩＤカード。
【請求項３】
前記スイッチ手段は、前記表示手段への情報の供給をオン・オフする手段であることを特徴とする請求項１記載のＩＤカード。
【発明の詳細な説明】
【技術分野】
【０００１】
本発明は、社員証、学生証および免許証等のＩＤカードに関するものである。
【背景技術】
【０００２】
顔写真付きのＩＤカードとしては、学生証，社員証，運転免許証等が知られている。このようなＩＤカードには、ＩＤカードの所持者を認証するためのＩＤ認証情報を記憶したＩＣチップ等のメモリが埋め込まれており、認証情報とＩＤカードに付与された顔写真とを用いてカード所持者の認証を行っている。
【０００３】
このようなＩＤカードにおいて、電子ペーパや液晶等の表示部を設け、メモリに認証情報とともに画像を記憶しておいて、表示部にメモリに記憶された画像を表示するようにしたものが提案されている（特許文献１参照）。特許文献１に記載のＩＤカードによれば、認証情報により認証が行われた場合にのみしか、メモリに記憶された画像を書き換えることができないため、権限のある者以外の者により顔写真が勝手に変更されてしまうことを防止することができる。
【特許文献１】特開２００５−２８４６７７号公報
【発明の開示】
【発明が解決しようとする課題】
【０００４】
しかしながら、特許文献１に記載されたＩＤカードにおいては、常時表示部に顔写真の画像が表示されるため、必要でないときにもＩＤカードに所持者の顔写真の画像が表示されてしまうこととなる。
【０００５】
本発明は、上記事情に鑑みなされたものであり、必要なときにのみＩＤカードに画像等の情報を表示できるようにすることを目的とする。
【課題を解決するための手段】
【０００６】
本発明によるＩＤカードは、カード本体と、
該本体に内蔵され、ＩＤ認証情報を含む各種情報を記憶するメモリと、
前記本体に設けられ、前記メモリに記憶された情報を表示する表示手段と、
前記本体のカードホルダへの装着時に前記表示手段への表示をオンとし、非装着時に該表示手段への表示をオフとするスイッチ手段とを備えたことを特徴とするものである。
【０００７】
なお、本発明によるＩＤカードにおいては、前記スイッチ手段を、前記表示手段の表示機能をオン・オフする手段としてもよく、前記表示手段への情報の供給をオン・オフする手段としてもよい。
【発明の効果】
【０００８】
本発明のＩＤカードによれば、本体のカードホルダへ装着時に表示手段への表示がオンとされ、非装着時に表示手段への表示がオフとされる。このため、本発明によるＩＤカードをカードホルダから取り出せば、必要でないときに表示手段に情報が表示されることを防止することができる。
【発明を実施するための最良の形態】
【０００９】
以下、図面を参照して本発明の実施形態について説明する。図１は本発明の第１の実施形態によるＩＤカードの外部構成を示す平面図、図２は内部構成を示す平面図である。図１，２に示すように、本発明の第１の実施形態によるＩＤカード１は、例として社員証として用いられるものであり、本体２の表面に表示部３と、ＩＤカードの電源となる太陽電池４とを備える。また、本体の内部には、太陽電池４が発生した電気を蓄電する二次電池５と、メモリ６と、ＩＤカードを用いて所持者の認証を行うための認証装置と非接触にて通信を行うためのアンテナ７と、表示部３の表示を制御する表示制御部８と、ＩＤカード全体の制御を行う全体制御部９と、表示部３の表示のオン・オフを行うための導通スイッチ１１とを備える。
【００１０】
本体２は容易に変形しないような樹脂等からなる。
【００１１】
表示部３は、例えば液晶および電子ペーパ等からなり、メモリ６に記憶された画像およびテキスト等の情報を表示する。
【００１２】
太陽電池４は、情報の表示等、ＩＤカード１の駆動に必要な電源となる。なお、太陽電池４が発生する電力は二次電池５に蓄電されるため、太陽電池４に光が照射されない状況でもＩＤカード１を駆動することができる。なお、太陽電池４を備えることなく、二次電池５のみを設けるようにしてもよい。この場合、二次電池５は入れ替え可能に本体２内に設けることが好ましい。
【００１３】
メモリ６は図３に示すように保護領域６Ａと開放領域６Ｂとに記憶領域が分けられている。保護領域６Ａには、ＩＤカード１の所持者の認証に必要なＩＤ認証情報が記憶されている。保護領域６Ａには、権限のある者（例えばＩＤカード１の発行者）のみがアクセス可能とされており、ＩＤカード１の所持者であっても記憶されているＩＤ認証情報を書き換えることはできない。開放領域６ＢはＩＤカード１の所持者が自由に情報の書き込みおよび削除を行うことが可能な領域である。
【００１４】
アンテナ７は、ＩＤカード１が認証装置と通信して、非接触にて情報のやりとりを行うためのものであり、これにより、メモリ６へ書き込む情報を取得したり、情報の削除の指示を受けたりすることができる。
【００１５】
表示制御部８は、メモリ６の開放領域６Ｂから情報を読み出して、表示部３へ表示するための処理を行う。
【００１６】
全体制御部９は、情報のメモリ６への書き込みおよび削除等、ＩＤカード１の全体の駆動を制御する。
【００１７】
導通スイッチ１１は、２箇所の端子１１Ａ，１１Ｂを備え、端子１１Ａ，１１Ｂが電気的に接続されると表示部３の表示をオンとし、電気的接続が解除されると表示部３の表示をオフとするものである。なお、表示のオン・オフは、表示部３の表示機能をオン・オフすることにより行ってもよく、メモリ６から表示部３への情報の供給をオン・オフすることにより行ってもよい。
【００１８】
図４は、第１の実施形態によるＩＤカード１を装着するためのカードホルダの構成を示す図である。図４に示すようにこのカードホルダ２０は、ホルダ内部にＩＤカード１の導通スイッチ１１をオンとすべく、端子１１Ａおよび端子１１Ｂを電気的に接続するための導通端子２１を備える。
【００１９】
このため、第１の実施形態によるＩＤカード１をカードホルダ２０に装着していない状態においては、端子１１Ａと端子１１Ｂとは電気的に接続していないため、表示部３には何ら情報は表示されない。一方、第１の実施形態によるＩＤカード１をカードホルダ２０に装着すると、導通端子２１により端子１１Ａと端子１１Ｂとが電気的に接続されるため、図５に示すようにＩＤカード１の表示部３にメモリ６に記憶された情報（ここでは画像）が表示される。
【００２０】
次いで、本発明によるＩＤカードの第２の実施形態について説明する。図６は本発明の第２の実施形態によるＩＤカードの内部構成を示す平面図である。なお、第２の実施形態において第１の実施形態と同一の構成については同一の参照番号を付与し、ここでは詳細な説明は省略する。第２の実施形態によるＩＤカード１Ａは、ＩＤカード１Ａの表示部３の表示のオン・オフを行うためのスイッチ１２を備えた点が第１の実施形態と異なる。
【００２１】
スイッチ１２はメカニカルスイッチであり、圧迫されるとオンとなって表示部３の表示をオンとし、圧迫されていない状態においてはオフとされて表示部３の表示をオフとするものである。
【００２２】
図７は、第２の実施形態によるＩＤカード１Ａを装着するためのカードホルダの構成を示す図である。図７に示すようにこのカードホルダ２３は、ホルダ内部にＩＤカード１Ａのスイッチ１２をオンとすべく、スイッチ１２に対応する位置にホルダ内部に突出する凸形状の突出部２４を備える。
【００２３】
このため、第２の実施形態によるＩＤカード１Ａをカードホルダ２３に装着していない状態においては、スイッチ１２は圧迫されていないため、表示部３には何ら情報は表示されない。一方、第２の実施形態によるＩＤカード１Ａをカードホルダ２３に装着すると、突出部２４によりスイッチ１２が圧迫されるため、図８に示すようにＩＤカード１Ａの表示部３に情報（ここでは画像）が表示される。
【００２４】
なお、上記実施形態においては、本発明によるＩＤカードを社員証として用いているが、学生証、会員証および免許証等、ＩＤカードとしてであればどのような態様にて用いてもよい。
【００２５】
また、上記実施形態においては、表示部３をオン・オフするスイッチ手段として、導通スイッチ１１およびスイッチ１２を用いているが、公知の任意のスイッチを用いることが可能である。
【図面の簡単な説明】
【００２６】
【図１】本発明の第１の実施形態によるＩＤカードの外部構成を示す平面図
【図２】本発明の第１の実施形態によるＩＤカードの内部構成を示す平面図
【図３】メモリの保護領域および開放領域を説明するための図
【図４】本発明の第１の実施形態によるＩＤカードを装着するカードホルダを示す平面図
【図５】本発明の第１の実施形態によるＩＤカードをカードホルダに装着した状態を示す平面図
【図６】本発明の第２の実施形態によるＩＤカードの内部構成を示す平面図
【図７】本発明の第２の実施形態によるＩＤカードを装着するカードホルダを示す平面図
【図８】本発明の第２の実施形態によるＩＤカードをカードホルダに装着した状態を示す平面図
【符号の説明】
【００２７】
１，１Ａ    ＩＤカード
２    本体
３    表示部
４    太陽電池
５    二次電池
６    メモリ
６Ａ    保護領域
６Ｂ    開放領域
７    アンテナ
８    表示制御部
９    全体制御部
１１  導通スイッチ
１２  スイッチ
２０，２３    カードホルダ
【図１】
2008217287.tif 000003
【図２】
2008217287.tif 000004
【図３】
2008217287.tif 000005
【図４】
2008217287.tif 000006
【図５】
2008217287.tif 000007
【図６】
2008217287.tif 000008
【図７】
2008217287.tif 000009
【図８】
2008217287.tif 000010